(57)【要約】  本発明によれば、隣接する表面、例えば床、壁部又は天井あるいは品目、例えば家具を乾燥するために適切な流体移動装置が提供され、この装置は、加圧流体を受容するための入口と、前記流体を前記表面又は品目に向かって方向付けるための少なくとも１つ通気孔と、乾燥される表面から周囲環境への乾燥によって発生される湿り空気の漏出を可能にするための少なくとも１つの経路とを備える。
2016517951.tif 000002
【特許請求の範囲】
【請求項１】
対象物の表面を乾燥するために適切な流体移動装置であって、少なくとも１つの入口であって、それを通して乾燥流体が前記装置内に流れる少なくとも１つの入口を有し、及び少なくとも１つの通気孔が、乾燥されるべき前記表面に前記装置から前記流体を方向付けるために配置され、前記装置が、前記少なくとも１つの通気孔を通して排出された流体が、乾燥されている前記対象物の前記表面から移動することを可能にするために少なくとも１つの経路を含む流体移動装置。
【請求項２】
流体が前記装置を出る少なくとも１つの出口を含む、請求項１に記載の流体移動装置。
【請求項３】
本体が、流体が流れる内部室を画定する、請求項１又は２に記載の流体移動装置。
【請求項４】
前記表面から前記本体を上昇させる少なくとも１つの脚部を含む、請求項１〜３のいずれか一項に記載の流体移動装置。
【請求項５】
２つ以上の装置が互いに接続することができる、請求項１〜４のいずれか一項に記載の流体移動装置。
【請求項６】
第１の装置の前記出口が第２の装置の前記入口に接続するように、少なくとも２つの装置が連結される、請求項５に記載の流体移動装置。
【請求項７】
手段が１つの装置の入口／出口に接続し、それにより、前記入口／出口を、他の装置からの入口／出口を受容するように適合させる、請求項５に記載の流体移動装置。
【請求項８】
前記経路が、乾燥される前記表面からの流体循環を可能にするために前記本体を横断する流路を備える、請求項１〜７のいずれか一項に記載の流体移動装置。
【請求項９】
前記流路が少なくとも１つの指部によって画定される、請求項７に記載の流体移動装置。
【請求項１０】
前記流路が少なくとも１つの開口によって画定される、請求項７に記載の流体移動装置。
【請求項１１】
単一の鋳型から形成された中空体を備える、請求項１〜１０のいずれか一項に記載の流体移動装置。
【請求項１２】
前記本体の形状が略立方形である、請求項１〜１１のいずれか一項に記載の流体移動装置。
【請求項１３】
前記装置の断面が略長方形である、請求項１〜１２のいずれか一項に記載の流体移動装置。
【請求項１４】
前記本体が、乾燥される領域に対応するように成形される、請求項１〜１２のいずれか一項に記載の流体移動装置。
【請求項１５】
１０Ｎを超える、好ましくは５０Ｎを超える、最も好ましくは１００Ｎを超える力を許容するために重量支承するように適合される、請求項１〜１４のいずれか一項に記載の流体移動装置。
【請求項１６】
前記装置が、装置の互いの接続を可能にするように、外側の側面又は面に相互ロックの雌及び雌コネクタを含む、請求項１〜１５のいずれか一項に記載の流体移動装置。
【請求項１７】
前記装置が１つの軸に沿って相互ロックするように配置される、請求項１５に記載の流体移動装置。
【請求項１８】
前記装置が第２の軸に沿って相互ロックするように配置される、請求項１５に記載の流体移動装置。
【請求項１９】
前記装置が流体の加圧供給を受容するように適合される、請求項１〜１８のいずれか一項に記載の流体移動装置。
【請求項２０】
流体を入口に送るためにダクティングが使用される、請求項１〜１９のいずれか一項に記載の流体移動装置。
【請求項２１】
前記ダクティングが剛性である、請求項１９に記載の流体移動装置。
【請求項２２】
前記ダクティングが可撓性である、請求項１９に記載の流体移動装置。
【請求項２３】
使用されない場合に閉鎖されるように、前記入口／出口にキャップが設けられる、請求項１〜２２のいずれか一項に記載の流体移動装置。
【請求項２４】
加圧流体源を含む、請求項１〜２３のいずれか一項に記載の少なくとも１つの流体移動装置を有するシステム。
【請求項２５】
ヒータを含む、請求項１〜２３のいずれか一項に記載の少なくとも１つの流体移動装置を有するシステム。
【請求項２６】
脱湿器を含む、請求項１〜２３のいずれか一項に記載の少なくとも１つの流体移動装置を有するシステム。
【請求項２７】
図を参照して実質的に本明細書に記載される流体移動装置。
【請求項２８】
図面を参照してかつ実質的に本明細書に記載される流体移動装置及びキット。
【発明の詳細な説明】
【技術分野】
【０００１】
本発明は、流体移動装置に、より詳しくは、しかし排他的でなく、制御された方法で表面を乾燥するために適切な流体移動装置に関する。
【背景技術】
【０００２】
例えば洪水による湿潤、水の漏出又は水の進入のために、建物内の過剰な水は、主要な損害を引き起こす。さらに二次の損害も生じることがあり、例えばカビの繁殖及び水分によって引き起こされる腐敗、変色、腐食の開始を通してさらなる問題をもたらす。そのような損害を回避するために、可能な限り早く乾燥するか又は過剰な水／水分を除去するための処置を取るべきである。
【０００３】
典型的に、影響を受けた領域を加熱し、及び／又は乾燥を可能にするように除湿手段を設けることが可能である。このことは、タイムリーかつ高価である可能性がある。例えば洪水による大規模な乾燥は、工業設備を使用している専門会社によって行われることが可能であるが、修復作業を始めることができる前に、乾燥にはなお数週間、又は数カ月さえも要することがある。
【０００４】
しばしば、乾燥のために特定の領域、例えば床敷き又は床板又はコンクリートを目標とする必要がある。いくつかの専門マット補助がある領域を目標とするために使用されるが、マットを典型的に適所に固定し、配置することが難しいことがあるパイプ作業に依存しなければならず、また典型的に吸引／真空工程を必要とする。
【０００５】
ある乾燥方法は、膨張式の装置を伴うが、これらは損傷する恐れがあり、従って、ある状態には不適切である可能性がある。他の乾燥方法では、目標とする領域を隔離する、例えばテント内に囲む、あるいは建物をシールすることによって隔離することが必要であるが、このような選択は、常に実行可能ではないことがあり得、高価であることがあり、また乾燥を大きく加速しないことがあり得る。
【０００６】
乾燥システムは、乾燥される領域へのアクセスを限定し及び／又は制限することが多く、従って、修理などの他の活動を遅らせる。さらに、多くの公知の従来技術の装置は、周辺における湿り空気の漏出のみを可能にし、従って乾燥は不均一であり、装置は、乾燥工程中に間隔を置いて移動させる必要があり得、従って、乾燥工程に追加の段階を加える。
【０００７】
本発明は、制御された方法で乾燥を加速しかつ達成するために、乾燥領域にわたって一定の乾燥空気の供給を提供する。
【０００８】
従って、問題などを解決する試みにおいて、いくつかの特許出願が出願されており、次のものが含まれる。
【０００９】
米国特許出願公開第２０１０１９２４００号明細書（ＳＴＯＲＲＥＲ）は、真空源を有する表面乾燥システムを開示し、真空源は、上側と、下側と、周囲と、乾燥されるべき表面に流体連通する通路を有する格子とを有する水不透過性の膜と、膜内のかつ真空源と流体連通するポートであって、水及び空気が格子から真空源に通過することを可能にするように構成されたポートとを備え、真空源は、膜の周囲内に負圧の筐体を形成し、通路を通して真空源に向かって流れるように水を付勢して水分除去を行う。
【００１０】
国際公開第２００５０３１２３０号パンフレット（ＦＥＲＮＡＮＤＥＳ  ｅｔ  ａｌ）は、湿気のある環境の壁部を加熱しかつ乾燥するための加熱及び乾燥システムを開示し、このシステムは、壁部システムを備え、前記壁部システムは、さらに、壁面を外装するための外装手段と、前記壁面に沿って空気を流路付けるための流路付け手段とを備え、前記壁部システムは壁面に取り付けられるように適合され、遠隔システムを備え、前記遠隔システムは、さらに、前記壁部システムと前記遠隔のシステムとの間の空気をダクティングするためのダクティング手段と、前記システムを加熱しかつ乾燥する前記システムを通して空気を追い出すためのブロア手段と、前記加熱及び乾燥システム内の空気から水分を除去し、前記システムから前記水分を排出するための除湿手段と、前記加熱及び乾燥システム内の空気を加熱するための加熱手段であって、前記加熱及び乾燥システムが閉鎖システムである加熱手段とを備える。
【００１１】
英国特許第２３９７３６６号明細書（ＥＬＬＩＯＴＴ  ｅｔ  ａｌ）は、乾燥装置の周縁に沿って共接合された可撓性材料の対向シートを備える乾燥装置を開示しており、この場合、シートの少なくとも１つには、その表面積全体にわたって多数の小さな開口が設けられるか、又は実質的にそのようであり、乾燥装置はまた、乾燥装置に送風機を取り付けるためのコネクタ手段を備え、これによって、乾燥装置の使用時、送風機からの空気が前記シートの間にかつ前記多数の小さな開口を通して送られて、乾燥されるべき表面から水分を除去する。
【発明の概要】
【課題を解決するための手段】
【００１２】
本発明によれば、対象物の表面を乾燥するために適切な流体移動装置が提供され、少なくとも１つの入口であって、それを通して乾燥流体が装置内に流れる少なくとも１つの入口を有し、及び少なくとも１つの通気孔が、乾燥されるべき表面に装置から流体を方向付けるために配置され、装置は、少なくとも１つの通気孔を通して排出された流体が、乾燥されている対象物の表面から移動することを可能にするために少なくとも１つの経路を含む。
【００１３】
このようにして、加圧流体、典型的に推進される空気が装置を通して通過させられ、空気は、通気孔を通して排出され、これによって、乾燥されるべき表面、例えば床、壁部又は家具部片に方向付けられる。
【００１４】
乾燥されるべき領域における／乾燥されるべき領域を横切る空気の流れは、水分を押しのけて、乾燥を補助する蒸発を加速するために役立つ。蒸発は、空気の湿度を高め、従って、この湿り空気が、乾燥を加速して、乾燥を遅らせ得る通気孔の周囲又は装置の底面を中心に形成される復水を防止するために、乾燥される表面から周囲環境に漏出できることが重要である。例えば、指部の間に画定されるような経路の結果、湿り空気は、迅速にかつ凝結することなく漏出し、これによって、湿り空気が乾燥される表面から周囲環境に除去され、これにより、乾燥の加速がさらに支援される。
【００１５】
典型的に、空気は、蒸発を加速するために乾燥されるべき表面に向かって方向付けられる空気ジェットとして通気孔から追い出される。このようにして、空気は、水分の多い湿った又は湿気のある表面の水分子を乱し、急速な蒸発をもたらす。
【００１６】
乾燥されるべき表面に空気を方向付けることによって可能にされる目標とする乾燥のこの形態は、大きな空間で脱湿器及び／又はヒータ及び／又はファンを使用する標準方法の乾燥に対して有利であり、この理由は、乾燥が、むしろ部屋の筐体を形成する大きな空隙のある湿った及びある乾燥した領域よりも、湿った又は湿気のある領域に空気が方向付けられることによって加速されるからである。従って、乾燥がより迅速にかつ選択的に行われるため、品目又は構造を湿らせる損害を低減することが可能であり、さらに、これらの結果を達成するためのエネルギー消費の低下がもたらされる。
【００１７】
装置は、中空であり、中空室を画定し、この中空室を加圧流体が通過し、入口を介して入って、少なくとも１つの通気孔を通して漏出する。
【００１８】
好ましい実施形態では、装置は、加圧流体に耐えることを可能にするために、また装置の構造を変更することなく加圧流体が装置を通過することを可能にするように剛性である。
【００１９】
好ましくは、装置は、装置を表面に又は表面に対して位置決めすることを可能にするように６つの面を有する略立方形である。
【００２０】
別の実施形態では、装置は、乾燥を必要とする様々な位置に対応するために、異なる形状で提供することが可能である。装置は、円形、三角形、六角形、又は他の任意の多面形状でもよい。例えば、装置は、床が壁部を接合するか又は軒に使用するような箇所で、隅部に嵌合するように適合してもよい。そのような実施形態では、装置は、乾燥されるべき２つ以上の表面を受け入れるために２つ以上の面に通気孔を有することが可能であり、また隣接する装置に対応するように配置された入口及び出口を有することが可能である。
【００２１】
ある実施形態では、装置は、特定の空間に対応するように特注の形状に製造することが可能である。例えば、装置は、床ウェルを車両に、又は引出しを家具部片にはめ込むように成形してもよい。
【００２２】
理想的には、装置は、繰り返し使用に適切であるように、強力な耐久性材料から形成される。好ましくは、装置は、容易に輸送されるように、かつ乾燥されるべき領域の装置の迅速かつ容易な配置を可能にするように、軽量の材料から形成することが可能である。
【００２３】
理想的には、装置は、合成プラスチックなどの強力な耐久性の軽量の耐熱及び耐湿性の材料、例えばポリプロピレンから形成される。
【００２４】
装置は、成形工程を通して、例えば回転成形、射出成形又はブロー成形によって製造し得る。有利には、このことは、多数の同一の装置の製造を可能にし得る。
【００２５】
ある実施形態では、装置は、単一の部分として形成してもよい。ある実施形態では、装置は、強度を高めて製造を補助するために内部リブ、ストラット又は支持体を含んでもよい。
【００２６】
装置は、製造上の強度及び／又はコスト効率の向上を提供するために多層から形成してもよく、例えば、この場合、室は２つの層の間に設けられる。
【００２７】
好ましい実施形態では、装置は、装置からの空気の退出を可能にするために、通気孔に加えて少なくとも１つの出口を含む。
【００２８】
好ましくは、出口は、空気が他の装置に通過することができる出口を提供し、これによって、２つ以上の装置を通した流体流れが可能になる。
【００２９】
典型的に、出口は通気孔よりも大きい。
【００３０】
理想的には、より大きな領域を覆う装置のネットワークを提供するように、２つ以上の装置を互いに接続することができる。
【００３１】
好ましい実施形態では、第１の装置の出口が第２の装置の入口に接続するように、少なくとも２つの装置が接続されるか又は連結される。このようにして、システムからの空気損失なしに空気が１つの装置から他の装置に通過することができるように、２つの装置が接合される。
【００３２】
好ましくは、すべての入口は、装置側面に配置され、１つの装置を他の装置に並んで取り付けることを可能にする。さらに、これにより、床を覆うようなより大きな表面積にわたって、使用時に平坦にかつ順次に装置を配置することが可能である。
【００３３】
好ましい実施形態では、２つ以上の入口を各々の装置に、典型的に本体の複数の側面に設けることが可能である。
【００３４】
ある実施形態では、入口は、１つの入口が追加の接続部を必要とすることなく他の入口又は出口への接続部を形成することができるように相互係合部分を含む。好ましくは、入口は、入口が噛合することを可能にするようにリップ部を含み得る。
【００３５】
ある実施形態では、リップ部は、可撓性であり得、例えば、周囲のすべての装置を乱す必要なしにネットワーク構成から１つの装置の取り除きを可能にするように弾性変形可能な材料、例えばゴムから形成される。このようにして、乾燥される表面は、１つ又は複数の装置の変位によって容易に点検及び／又は監視することができる。
【００３６】
代わりに／追加して、２つ以上の装置は、接続を可能にするために装置を捻るか又は再配列する必要性をいずれにしろ回避するように、プッシュ取付けシステムによって接合し得る。従って、装置は、乾燥されるべき領域に敷設し、次に、相互接続されたネットワークを形成するために接続されるように共に押圧することができる。
【００３７】
典型的に、入口及び出口は、容易に接続するように円形であり、例えば、この場合、雄の入口／出口は雌の入口／出口に受け入れられる。
【００３８】
他の実施形態では、入口又は出口は、円形でなくてもよく、例えば正方形、長方形、卵形又は他の対応する形状である。
【００３９】
理想的には、雌の入口／出口は１００ｍｍよりも大きい直径を有することが可能であり、雄の入口／出口は１００ｍｍよりも小さい直径を有することが可能であり、従って、それらは容易に接合することができる。有利には、雄及び雌の入口は、接続部を中心とする空気の漏出を低減又は最小化するように、ぴったりと嵌合するように設計される。
【００４０】
有利には、円形の入口はまた、加圧流体を入口／出口を通して容易に送り得るように、ダクティング、配管又はトランキングを容易に受け入れるように十分に合わせられる。
【００４１】
ある実施形態では、入口／出口には、異なるサイズのダクティング、配管又はトランキングを受け入れて、適所に受入れ維持することができように、アダプタ及び／又はクリップ又は他の機械的締付け手段を設けることが可能であることを予想し得る。
【００４２】
好ましくは、協働する入口と出口との間の空気損失を最小化するか又は防止するために、手段が１つの装置の入口に接続し、それにより、入口を、他の装置からの出口を受容するように適合させる。例えば、入口は、緊密な同心のシールされた嵌合を出口に提供するように、Ｏリング、カラー又はカフを受け入れることが可能である。
【００４３】
有利には、手段は、入口を出口に、２つの入口を、２つの出口及び／又は入口又は出口を加圧流体供給部に接続するために適切であるように汎用であり得る。例えば、入口が退出出口として等しく機能するか、又はその逆であるために、１つの装置の入口は、他の装置の入口に取り付けてもよく、あるいは１つの装置の出口を他の装置の出口に取り付けてもよい。
【００４４】
このようにして、装置は、装置を通した空気流を許容し、他方、通気孔及び入口／出口を通した空気退出を可能にするように適合される。
【００４５】
例えば、立方形の装置は、各側面で他の装置への接続を許容するように、４つの側面の任意の側面に少なくとも１つの入口／出口を含んでもよい。このようにして、装置が配置される領域は、例えば廊下のようなストリップ、又は乾燥されるべき建物の床全体を覆うように、段階的に大きくすることができる。
【００４６】
ある実施形態では、通気孔、入口及び出口は、不規則又は独特に成形された領域、例えば隅部、軒、屋根空間又はフットウェルにおける装置の取り付けを許容するために、装置の特定の位置に設けることが可能である。例えば、通気孔、入口又は出口は、装置の隅部に設けてもよい。
【００４７】
別の実施形態では、高圧流体が接続部を移動させないことを保証するために、クリップなどの手段が入口／出口を接続するために設けられる。
【００４８】
ある実施形態では、半方向スロット、弾性変形可能な材料、部材又はリブ、あるいは他の機械的手段が、接続中の変形を可能にするために含まれてもよく、この場合、前記手段は相互係合を許容し得る。
【００４９】
ある実施形態では、装置は、装置に共にスロットを設け、結果として入口を整列するか又は互いに近傍に保持することができるように装置の外面に配置された相互ロック部を含んでもよい。さらに別の実施形態では、接続は、磁気部分又はフック及びループ部、例えばベルクロ（登録商標）によって達成又は開始し得る。
【００５０】
好ましい実施形態では、通気孔は、乾燥されるべき表面と接する装置の面に設けられる。入口及び出口は、典型的に他の任意の面に設けられる。例えば、通気孔は、装置の側面に設けられる任意の入口及び出口を有する底面に設けてもよい。このようにして、接続された装置のネットワーク全体にわたる乾燥空気の一定の流れを促進するために、すべての通気孔を乾燥されるべき表面に方向付け、かつ出口及び入口を隣接する装置と対応するように配置させるように、接続された装置のネットワークを床を横切って又は壁部に対して配置し得る。
【００５１】
好ましくは、装置の上面は平坦であり、通気孔、入口又は出口を有しない。有利には、このことは、例えば、部屋を使用し及び／又は乾燥工程中にアクセスし得るように床材の上に配置された場合、装置の上を歩くことを可能にする。このようにして、装置は、乾燥されるべき従属的な表面にわたって最良の使用可能な表面を形成する装置のネットワークを提供するように結合することが可能である。最良の表面は、例えばユーザの体重又は乾燥装置の重量を支持するために重量を支承できることが好ましい。
【００５２】
このようにして、乾燥工程は、修理又は保守など、あるいは装置又は家具の貯蔵のための他の活動を阻止しない。このことは、取り付け中に装置の上を歩くことも可能にし、この結果、例えばユーザの足のために、あるいは足場などのユーザ用の支持構造、又は提供される適切なオーバーボードを伴う他のアクセス機器のために、空間を残す必要なしに装置を近接して共に取り付けることができる。
【００５３】
理想的には、装置の上面には、スリップ止め手段を設けるようにテクスチャ加工し得る。例えば、テクスチャ加工された面は、凹凸部分を含むか、又はグリップを提供するためにゴムのような弾性変形可能な材料を含んでもよい。
【００５４】
加圧流体は、以降加圧流体源と称されるポンプ、ブロア又はファンによって加圧された周囲空気であり得る。このようにして、空気は、装置内に強制的に入れられ、これによって、開口部、例えば通気孔、入口又は出口を通して装置から追い出される。
【００５５】
有利には、加圧流体は、さらに乾燥を支援するように加熱され及び／又は除湿される空気を含むことが可能である。例えば、加圧流体源は、同様に空気を加熱するように加熱要素を有するブロアを含んでもよい。さらに、加圧流体源は除湿手段を含んでもよい。加圧流体源が、流体を加圧、加熱及び／又は除湿することを可能にするために別個の又は一体化された要素を含み得ることを予想し得る。好ましくは、要素は、温度、圧力及び湿度を選択するように別個に制御することができる。
【００５６】
乾燥工程用に生成される加圧流体は、ダクティングによって装置入口に理想的にパイプで送られる。このようにして、加圧流体源を装置から距離を置いて、例えば湿った／湿気のある表面から離れて配置することが可能である。理想的には、ダクティングは、例えば対象物の上方又は周りを通過する乾燥が必要である位置に容易に対応するように可撓性である。
【００５７】
好ましくは、ダクティングは、入口と互換性があるか、あるいは装置へのダクティングの容易、迅速な取り付けを可能にするようにアダプタによって装置に接続することができる。
【００５８】
ある実施形態では、ダクティングは、装置の間に使用することが可能であり、１つの装置から他の装置に加圧流体を通過させる。有利には、このことは、例えば梁又は柱のような固定対象物の不規則な空間に対応するために装置の斜めの相互接続及び構成を許容するか、あるいは１つのネットワーク又はネットワーク群として留まりつつ、装置が２つ以上の異なる部屋内に延びることを可能にし得る。
【００５９】
ある代替実施形態では、このようなダクティングは剛性であり、変形例の装置の固定構成を可能にし得るか、あるいは剛性及び可撓性のダクティングの組み合わせを含み得る。
【００６０】
有利には、加圧流体源の部分として設けられた任意の脱湿器が、同様に、周囲空気から水分を抽出するように機能し、従って、水分が乾燥工程中に空気から抽出されることを保証する。
【００６１】
２つ以上の加圧流体源を使用して、装置内、又は装置ネットワーク内の空気流又は圧力を増大させることが可能である。さらに、加圧流体源は、ネットワークを通した望ましい等しい圧力の提供を補助するために、及び／又は源となる加圧流体を最適な位置、例えば電源の近くに位置決めするために、ネットワーク内の複数の位置に配置することが可能である。
【００６２】
このようにして、乾燥速度は、使用時の装置及び装置の内部体積を通して追い出された空気の圧力及び温度によって制御し得る。従って、ユーザは、乾燥されるべき表面又は品目について最も望ましいパラメータを選択することができる。さらに、乾燥工程中にパラメータを変更することができる。
【００６３】
有利には、これにより、温度、流速、圧力及び湿度を制御するように、制御された方法で乾燥を実施することが可能になる。これにより、反りを防止又は制限するように、ある材料、例えば木に有益であり得る特定の速度の乾燥を可能にするために、乾燥速度の制御が可能である。さらに、このようにして、より繊細な品目、例えば、急速な乾燥によって悪影響を受け得る羊毛ベースのカーペット、紙又は絹製カーテンに、より遅い乾燥又は速度を変更した乾燥を施すことができるであろう。
【００６４】
好ましい実施形態では、前記１つ又は複数の表面が、装置に従属して使用される。例えば、装置は、乾燥を必要とする床、壁部又は天井に対して配置し得る。
【００６５】
典型的に、表面に方向付けられた装置の面は、乾燥されるべき表面に向かう空気の退出を可能にするように少なくとも１つの通気孔を含む。このようにして、特定の領域を目標とすることができる。有利には、このことは、湿った又は湿気のある領域のみを目標とすることによって、乾燥中により大きな効率を提供することができる。
【００６６】
好ましくは、表面に方向付けられた装置の面は、面を横切って分散された複数の通気孔を含む。このようにして、空気を、均一な乾燥を促進するためにより大きな表面積にわたって分散することができる。
【００６７】
典型的に、通気孔は、乾燥されるべき表面に方向付けられた面にわたって規則的に、例えば列に又は格子に配置し得る。ある実施形態では、通気孔は不規則に離間し得るか及び／又は特定の表面に対応するように配置し得る。例えば、通気孔の線は、床材の接合部と対応するように設けられてもよい。
【００６８】
装置に設けられた１つ又は複数の経路は、乾燥される表面から、例えば装置の上の領域周囲環境への加圧流体の通過を可能にするように装置を横断する。経路は、通気された面から他の面に通過する装置に画定された開口、流路又は通路、好ましくは対向面であり得る。
【００６９】
好ましい実施形態では、経路は、装置の１つ又は複数の側面で突出する指部によって画定することが可能であり、この場合、各々の指部の間の間隙は、経路を介して装置から離れた通気孔からの空気流を可能にするために経路を画定する。
【００７０】
有利には、乾燥される表面からの蒸発中に発生された湿り空気は、経路に沿って／経路を通して、これによって、通気孔の周りに捕捉されるよりもむしろ１つ又は複数の装置から離れて循環することができる。このように、湿った／湿り空気が常に乾燥空気によって置き換えられる。このことは、従って、１つ又は複数の装置に及び／又は乾燥される表面に対して凝縮する、あるいは乾燥を阻止するであろう通気の代わりに循環されることから凝縮する湿り空気の可能性を低減する。
【００７１】
好ましい実施形態では、１つ又は複数の経路は、装置に対して最小である。例えば、経路は、装置に対する任意の背圧を最小化するように、入口／出口の累積的な断面積よりも大きい累積的な断面積を有する２つの指部の間に設けられた狭いスロットでもよい。
【００７２】
好ましい実施形態では、１つ又は複数の経路の寸法は、装置の内部体積を最大化するように、かつ加速された乾燥が促進されるが、湿り空気用の漏洩用通路をなお提供する最適な微気候を形成するために、指部の間で５０ｍｍ未満、理想的には３０ｍｍ未満であり得る。有利には、これらの寸法は、ユーザが、足が経路の中にスリップする危険性なしに装置の頂部を安全に歩くことができるような寸法である。
【００７３】
他の実施形態では、スロット又は経路の寸法は、例えばより大きな装置では５０ｍｍよりも大きくてもよい。
【００７４】
有利には、乾燥は加速されるため、関連のエネルギー消費が低減され、かつ乾燥のために使用される時間も低減し得る。
【００７５】
有利には、経路は、より大きな周囲長さを提供することによって強度の向上を提供し、従って、装置の重量支承能力を強化する。
【００７６】
好ましくは、装置は、その上面にわたって１０Ｎを超える、好ましくは５０Ｎを超える、最も好ましくは１００Ｎを超える力を許容するように適合される。理想的には、装置は、装置の任意の部分における／装置の任意の部分上の荷重を受容できる。
【００７７】
理想的には、他の装置に又は給気部に接続されない任意の入口又は出口は、乾燥中に流体の漏出を防止するようにキャップによってシールされる。好ましくは、キャップは、スナップ嵌合、摩擦嵌合、ねじ又はツイスト嵌合又は戻り止め機構によって取り外し可能に接続し得る。
【００７８】
ある実施形態では、装置を共に接続するために使用される方法は、フラップバルブなどの逆止装置を含むか又はそれを取り付けることが可能であり、フラップバルブは、他の装置に接続されないときに閉鎖され、従って空気流を防止し、あるいは他の装置に接続すると開放され、従って装置間の空気流を可能にする。このようにして、キャップを失うか又は間違って置く機会が少なくなるように、１つ又は複数のキャップを装置と一体化し得る。
【００７９】
好ましい実施形態では、すべての入口／出口を受け入れるために、一方の側面の雄の取付け手段と、他方の側面の雌の取付け手段とを両面のキャップに設けることが可能である。このようにして、適切な側面に係合することによって、任意のキャップを任意の入口／出口に使用し得る。典型的に、キャップの雄側は使用時に入口／出口内に位置し、必要でないときに入口／出口内から容易に取り除くことを可能にするように指グリップを含み得る。キャップの雌側は、その代わりに入口／出口を受容し、容易に把持して取り除くことができ、指グリップを必要としなくてもよい。
【００８０】
好ましい実施形態では、装置は、装置が配置される表面から装置を持ち上げる脚部を含み、装置の周りの空気循環をさらに強化し、従って、通気孔を収納する面と乾燥されるべき表面との間に意図的に空隙を形成し、このように乾燥微気候を形成することによって急速な乾燥を補助することが可能である。
【００８１】
ある実施形態では、脚部は、表面からの装置の高さを変更するように可変であり得、これによって、微気候が形成される領域のサイズを調整する。有利には、これにより、表面自体が平らでない場合でも、歩行のために平坦な上面を提供するために、装置を平らにすることも可能である。例えば、脚部を捻ることによって脚部をねじの上下に移動することができるように、脚部をねじに取り付けてもよい。
【００８２】
さらに、脚部は、装置の積み重ねが可能であるように典型的に寸法決めされ、この場合、装置は、使用していないときに輸送又は貯蔵のために１つの装置を他の装置に位置決めし得るように、縦装置の脚部を受容するように同様に適合される上面を有する。典型的に、装置の上面は、そこに配置された装置の脚部を受容するように、面取りするか又は先細りし得る。
【００８３】
使用時、装置は、内側に面する複数の通気孔を有する上向きアーチ状のカーカス又はボックスのような構造を形成するように配置することが可能であり、この構造に、乾燥させるために家具のような品目を配置し得る。
【００８４】
さらに、装置は、対向しかつ平行に離間して配置することができ、複数の通気孔を有する逆さの装置の１つの層は湿潤表面に面し、この結果、平坦な品目、例えばカーペット、スクリーン又は敷物を、急速な乾燥を促進するために装置間に挟み込むことができる。
【００８５】
いくつかの状況では、湿り空気を乾燥環境から、おそらくその外側から、例えば建物から通過させることを可能にするように、乾燥される領域に通気手段を設け得ることを予想し得る。例えば、建物内から建物の外側に湿り空気を送るために、抽出装置ファンを設けてもよい。
【００８６】
ある実施形態では、装置は、装置の容易な収納及び輸送を可能にし、また必要に応じて部屋の周りにかつ一体として移動させることを可能にするように、垂直及び水平面の両方で接合可能な又は相互ロック特徴部と積み重ね可能である。
【００８７】
装置が壁部及び天井を乾燥するために使用される場合、安定して上昇位置における乾燥を促進するために、１つ又は複数の支柱又は他の支持手段を設けて、装置を支持し得ることを予想し得る。
【００８８】
ある実施形態では、むしろ支柱で乱雑にするよりも、装置を吊設し、従って空間の下を清浄維持し得るように、ブラケットを天井用に設け得る。
【００８９】
装置は、表面又は乾燥されるべき品目に応じて複数のサイズで設けることができる。例えば、異なる体積又は寸法を有する装置を設けることが可能である。
【００９０】
ある実施形態では、水以外の物質の蒸発を促進するために、装置を使用して、目標とする微気候を提供するために使用し得ることを予想し得る。例えば、装置は、化学流出物を乾燥するために使用してもよい。
【００９１】
典型的に、装置は、２つ以上の装置及び少なくとも１つの加圧空気源を備えるシステムの部分として使用され、従って、空気流が１つの装置から他の装置に通過することを可能にし、これによって、空気がより大きな領域にわたって排出されることを可能にする。
【００９２】
装置は、複数の装置及び少なくとも１つの加圧流体源を備えるモジュール式のキットの部分として提供することが可能である。
【００９３】
次に、一例としてかつ図を参照して本発明の好ましい実施形態について説明する。
【図面の簡単な説明】
【００９４】
【図１Ａ】アレイ、マトリックス又はネットワークとして相互接続して示された一実施形態による９つの装置の等角図である。
【図１Ｂ】装置に接続されたダクティング部片を有する図１Ａに示した装置の一実施形態の等角図である。
【図２Ａ】中央に位置する開口のダクティングに接続された図１Ａに示した９つの装置の１つの側面図である。
【図２Ｂ】図１Ａに示した装置の実施形態の代替側面図、及び面の端部に位置する開口に接続されたダクティングの図面である。
【図３】図に示した装置の実施形態の下側図面及び図１Ｂに示したダクティングの図面である。
【図４】装置の実施形態の上面図及び図１に示したダクティングの図面である。
【図５】装置の実施形態の側面図及び図１に示したダクティングの図面である。
【発明を実施するための形態】
【００９５】
次に、装置の好ましい実施形態の様々な図面を示している図１〜図５を参照する。各々の装置１００は略長方形であり、中央の中空の長方形ボックスの形態である。底面は、使用時、乾燥されるか又は脱水されるべき表面に配置される。３対の指部１０は、中空ボックスの反対側から、前方位置１０ａと１０ｂから、中間位置１０ｃと１０ｄから、後方位置１０ｅと１０ｆ（図３に図示）から対称的に延びる。中心の中空ボックス及び指部１０はすべて中空であり、経路１５を画定するために役立つ。装置１００は、典型的に、射出成形、ブロー成形又は回転成形工程によって形成される。
【００９６】
装置１００は、剛性合成プラスチック材料、例えばポリエチレン又はポリプロピレンから形成され、指部１０は等しい大きさ及び形状である。以下に詳述するように、装置１００を互いに接続することを可能にするように適切な接続手段が設けられる。
【００９７】
装置１００の上面５は、テクスチャ加工されるか、あるいはさもなければグリップ足下を提供するために凹凸の領域により形成され、この結果、表面に水／湿気が多い場合でも、ユーザは滑る危険を少なくして表面を横切って歩くことができる。
【００９８】
装置１００の１つ又は複数の面に、加圧空気が通過することができる１つ又は複数の入口／出口１が設けられる。これらの入口／出口１は、１つの装置１００が他の装置１００に隣接して配置されるとき、例えば図１Ａに見ることができるように、空気が、１つの装置から隣接する相互接続された装置１００に流れることができるような位置に形成される。
【００９９】
各々の装置１００は、表面（図示せず）から装置１００を上昇させるように機能する複数の脚部６を含み、装置は、表面に向けられた装置１００の面と表面との間の空間によって画定されるような微気候の空気循環を可能にするために、前記表面に対して又はその上に配置される。脚部６は、使用しないとき、装置１００の積み重ねを可能にするように形成され、上面５の上に配置された第２の装置の脚部を受容するように、装置の上面５が面取りされるか又は先細りにされる。このようにして、装置１００を積荷又は輸送のために容易に積み重ねることができ、通過／貯蔵時の倒壊が防止される。
【０１００】
図１Ａは、長方形の領域にわたって延びるように互いに隣接して配置された９つの装置のアレイ、マトリックス又はネットワークを示している。加圧空気の供給を加圧空気源（図示せず）からパイプ接続するために、長尺の可撓性ダクティング３が１つの入口１に接続される。
【０１０１】
複数の通気孔２０（図１Ａに図示せず）が、装置の底面７（図１Ａに図示せず）に設けられ、乾燥されるべき表面に向かって空気を導くことを可能にする。
【０１０２】
図１Ｂは、長尺のダクティング３に接続された単一の装置１００を示している。中央指部１０ｃ、１０ｄに設けられた入口／出口１が示されている。入口／出口１は、他の装置に接続されていないときに入口／出口を閉鎖するように機能するキャップ４を有し、従って、特定の入口／出口を通した空気流を防止する。
【０１０３】
装置は、典型的に、約６００ｍｍ（幅）×５００ｍｍ（長さ）×１５０ｍｍ（高さ）である。本実施形態では、装置１００は、貯蔵及び輸送用の標準パレットに２×２で多層に積み重ねられかつ配置することができる。装置１００の上面５は、脚部が面取り縁部の周りに嵌合するように、装置１００を互いに上下に積み重ねることを可能にするように面取り縁部を有する。
【０１０４】
通気孔２０（図３に図示）は、加圧空気が空気ジェットとして装置から追い出されるように、２０ｍｍ未満、理想的には１０ｍｍ未満である。通気孔のサイズは、異なる装置、システム及び用途に関して、処理されるべき水分／湿気の適用及び厳しさに従って可変である。例えば通気孔のサイズは、飽和度に応じて可変でもよい。通気孔サイズを変更し得る他の理由は、乾燥及び／又は乾燥されるべき異なる品目を必要とする異なる圧力、異なる表面組織／形状に対応することである。さらに、ある実施形態では、通気孔は、例えば先細りにするか又は施条をつけるか、あるいは乾燥を加速させるように、空気流を方向付けるか又は特定の方法で空気の流れを引き起こすための手段を取り付けることによって成形することが可能である。
【０１０５】
図２Ａ及び図２Ｂは、図１Ｂに見ることができるようなダクティング３に接続された単一の装置の側面図を示している。脚部６は、装置の各々の隅部に及び各々の装置の中間点に配置される。この脚部構成は、通気孔２０が形成される底面７が重量支承中にも表面から上昇維持されることを保証するために、装置の強力な支持を提供する。
【０１０６】
図３Ａは、１つの入口／出口１において長尺の可撓性ダクティング３に接続された単一の装置の下側図面を示している。１つが装置１００の他方の３つの側面の各々に配置された別の３つの入口／出口は、キャップ４によってシールされる。従って、加圧流体は通気孔２０を通してのみ漏出することができる。
【０１０７】
装置１００の底面７は、乾燥されるべき表面に向かって空気が解放されることを可能にする複数の通気孔２０を含む。通気孔２０は、格子形成の装置１００の底面７を横切って規則的に離間される。
【０１０８】
図４は、図３に示した装置１００の上面図を示している。装置５の上面は、グリップを強化するためにクロスハッチの凹凸面を含む。
【０１０９】
図５は、図３及び図４に示した装置の側面図を示している。装置１００は、各々の指部１０の各々の隅部に脚部６を有する。
【０１１０】
ある実施形態では、キッチンユニット及び独特に成形された家具、部屋又は筐体の下に使用することができるように、異なる構造又は対象物を受け入れるように様々なサイズ又は形状の本体を設け得ることを予想し得る。
【０１１１】
次に、操作時及び乾燥及び／又は加熱空気の源（図示せず）に接続されたときの装置について簡単に説明する。
【０１１２】
１つの装置又は複数の装置が、表面に敷設されるか又は表面に対して位置決めされ、この場合、装置１００の底面７は、乾燥されるべき表面に向かって方向付けられた通気孔２０を有する。例えば、底面７を床に向けて、床を横切って９つの装置のネットワーク２００（図１Ａに図示）を敷設することが可能である。ネットワーク２００の各々の装置１００は、入口／出口１によって隣接する装置に接続される。このようにして、１つの装置内の空気が入口／出口を通して他の接続された装置に通過することができる。
【０１１３】
ネットワークの周縁に配置され、従って他の装置に取り付けられなかった少なくとも１つの入口１が、加圧空気源（図示せず）、例えば加熱手段を有するブロアに接続される長尺のダクティング３に接続される。このようにして、ブロアが作動されると、加熱空気がダクティング３に沿ってブロアから、入口１を介してダクティング３が取り付けられる装置１００内に追い出される。
【０１１４】
装置１００の中空室は、加圧された加熱空気で充填され、この空気は、装置１００から、乾燥されるべき表面に向かって方向付けられた通気孔２０を通して、入口／出口１を通して漏出する。このようにして、加熱された乾燥空気は、通気孔２０を通して、ネットワーク２００によって覆われた領域にわたって解放される。
【０１１５】
入口／出口１は通気孔２０よりも大きいため、空気は、より自由に最初に他の装置に通過し、この結果、ネットワーク２００が加圧され、これによってネットワーク２００を横切って発生される通気孔２０を通した強制空気の解放も可能にする。
【０１１６】
乾燥されるべき表面７と接する装置面と、表面自体との間の空間は、脚部６のサイズによって決定される。例えば、脚部の高さは、表面からの装置の高さ、従って微気候が形成される領域を決定する。
【０１１７】
空気は、乾燥されるべき領域の通気孔から追い出され、表面からの水分が蒸発して湿り空気を形成する。通気孔２０からの加圧空気の継続的解放により、装置１００の下の微気候から経路１５に沿って周囲環境に湿り空気を追い出すことが促進される。
【０１１８】
理想的には、周囲環境から水分を抽出するために、乾燥工程の部分として脱湿器を含むことが可能である。
【０１１９】
空気流の力を変更するためにブロアを調整してもよい。これにより、１つ又は複数の装置内の圧力、及び通気孔２０を通して空気が排出される力が変更される。ある乾燥システムでは、いくつかの装置が大きな領域にわたって使用されるとき、いくつかの加圧空気源をネットワークを横切って異なる位置に設けることが可能である。
【０１２０】
実施例のみによって本発明について説明してきたが、本発明の範囲から逸脱することなく、上記の実施形態に変更をなし得ることが認識されるであろう。入口は、適切に修正されるとき、空気流の方向及びユーザの意図に応じて出口として動作し得ることも理解される。
【０１２１】
従って、上述の説明は、本発明の原理のみの例示であると考えられる。さらに、多数の修正形態及び変更形態が当業者に容易に想起されるため、本発明を図示しかつ説明した正確な構造及び動作に限定することは望ましくなく、従って、適切な修正形態及び均等物は、本出願に添付された特許請求の範囲内に含まれることが考慮される。
【図１ａ】
2016517951.tif 000003
【図１ｂ】
2016517951.tif 000004
【図２ａ】
2016517951.tif 000005
【図２ｂ】
2016517951.tif 000006
【図３】
2016517951.tif 000007
【図４】
2016517951.tif 000008
【図５】
2016517951.tif 000009
【国際調査報告】
2016517951.tif 000010
2016517951.tif 000011
2016517951.tif 000012
2016517951.tif 000013